(57)【要約】【課題】ネットワーク上において匿名で使用される仮想人物に対する責任追及を可能にしつつ、仮想人物を譲渡させる。【解決手段】仮想人物ＩＤの売買取引を依頼するための取引依頼通知をサービス提供装置４０から受信すると、仮想人物管理装置１０は、売買取引の対象となる仮想人物の仮想人物ＩＤに基いて、仮想人物情報ファイルからこの仮想人物ＩＤを含む仮想人物情報を抽出し、この抽出した仮想人物情報のユーザ管理装置ＩＤを、ユーザ管理装置Ｂのユーザ管理装置ＩＤに書き換えて更新する。仮想人物管理装置１０は、売買取引の対象となる仮想人物の仮想人物ＩＤに関する情報を削除するように依頼する削除依頼通知を、ユーザ管理装置Ａに送信するとともに、売買取引の対象となる仮想人物の仮想人物ＩＤに関する情報を追加するように依頼する追加依頼通知を、ユーザ管理装置Ｂに送信する。【選択図】図１
2008243055.tif 000002
【特許請求の範囲】
【請求項１】
ネットワーク上において匿名で使用される仮想人物に関する情報を管理する仮想人物管理プログラムであって、
前記仮想人物を所有するユーザの責任能力を含めたユーザ情報を管理するユーザ管理装置を一意に特定するユーザ管理装置ＩＤを、前記仮想人物を一意に特定する仮想人物ＩＤに対応付けて記憶させる記憶手順と、
前記仮想人物の売買取引を依頼する取引依頼通知を受信する受信手順と、
前記受信手順によって前記取引依頼通知が受信された場合に、前記記憶手順によって記憶された前記ユーザ管理装置ＩＤのうち、前記売買取引の対象となる前記仮想人物の前記仮想人物ＩＤに対応付けて記憶されている前記ユーザ管理装置ＩＤを、前記売買取引の当事者である購買側のユーザに関する情報を管理する前記ユーザ管理装置の前記ユーザ管理装置ＩＤに書き換えて更新する更新手順と、
前記売買取引の対象となる前記仮想人物の仮想人物ＩＤに関する情報を削除するように依頼する削除依頼通知を、前記売買取引の当事者である販売側のユーザに関する情報を管理する前記ユーザ管理装置に送信するとともに、前記売買取引の対象となる前記仮想人物の仮想人物ＩＤに関する情報を追加するように依頼する追加依頼通知を、前記購買側のユーザに関する情報を管理する前記ユーザ管理装置に送信する送信手順と、
をコンピュータに実行させることを特徴とする仮想人物管理プログラム。
【請求項２】
前記ユーザ管理装置ＩＤに対応する管理会社の責任能力の度合いを評価するための管理会社責任能力評価値および前記仮想人物ＩＤに対応する仮想人物の責任能力の度合いを評価するための仮想人物責任能力評価値を算出する算出手順をさらに備え、
前記記憶手順は、前記算出手順によって算出された前記管理会社責任能力評価値および前記仮想人物責任能力評価値を、前記仮想人物ＩＤに対応付けてさらに記憶させることを特徴とする請求項１に記載の仮想人物管理プログラム。
【請求項３】
前記送信手順は、前記受信手順によって前記取引依頼通知が受信された場合には、前記販売側のユーザに関する情報および前記購買側のユーザに関する情報を管理するそれぞれの前記ユーザ管理装置に対して、前記販売側のユーザの販売意思または前記購買側のユーザの購買意思を確認するように依頼する確認依頼通知をさらに送信し、
前記更新手順は、前記送信手順によって送信された前記確認依頼通知に対する応答によって前記仮想人物を販売する旨の意思および前記仮想人物を購買する旨の意思が確認された場合に、前記記憶手順によって記憶された前記ユーザ管理装置ＩＤのうち、前記売買取引の対象となる前記仮想人物の前記仮想人物ＩＤに対応付けて記憶されている前記ユーザ管理装置ＩＤを、前記購買側のユーザに関する情報を管理する前記ユーザ管理装置の前記ユーザ管理装置ＩＤに書き換えて更新することを特徴とする請求項１または２に記載の仮想人物管理プログラム。
【請求項４】
前記取引依頼通知は、前記販売側のユーザによる前記仮想人物の販売の申し込み通知を受信し、当該販売の申し込みに対する購買の申し込み通知を受信した外部装置によって送信されることを特徴とする請求項１〜３のいずれか１項に記載の仮想人物管理プログラム。
【請求項５】
ネットワーク上において匿名で使用される仮想人物に関する情報を管理する仮想人物管理装置であって、
前記仮想人物を所有するユーザの責任能力を含めたユーザ情報を管理するユーザ管理装置を一意に特定するユーザ管理装置ＩＤを、前記仮想人物を一意に特定する仮想人物ＩＤに対応付けて記憶させる記憶手段と、
前記仮想人物の売買取引を依頼する取引依頼通知を受信する受信手段と、
前記受信手段によって前記取引依頼通知が受信された場合に、前記記憶手段によって記憶された前記ユーザ管理装置ＩＤのうち、前記売買取引の対象となる前記仮想人物の前記仮想人物ＩＤに対応付けて記憶されている前記ユーザ管理装置ＩＤを、前記売買取引の当事者である購買側のユーザに関する情報を管理する前記ユーザ管理装置の前記ユーザ管理装置ＩＤに書き換えて更新する更新手段と、
前記売買取引の対象となる前記仮想人物の仮想人物ＩＤに関する情報を削除するように依頼する削除依頼通知を、前記売買取引の当事者である販売側のユーザに関する情報を管理する前記ユーザ管理装置に送信するとともに、前記売買取引の対象となる前記仮想人物の仮想人物ＩＤに関する情報を追加するように依頼する追加依頼通知を、前記購買側のユーザに関する情報を管理する前記ユーザ管理装置に送信する送信手段と、
を備えることを特徴とする仮想人物管理装置。
【請求項６】
ネットワーク上において匿名で使用される仮想人物に関する情報を管理する仮想人物管理方法であって、
前記仮想人物を所有するユーザの責任能力を含めたユーザ情報を管理するユーザ管理装置を一意に特定するユーザ管理装置ＩＤを、前記仮想人物を一意に特定する仮想人物ＩＤに対応付けて記憶させる記憶工程と、
前記仮想人物の売買取引を依頼する取引依頼通知を受信する受信工程と、
前記受信工程において前記取引依頼通知が受信された場合に、前記記憶工程において記憶された前記ユーザ管理装置ＩＤのうち、前記売買取引の対象となる前記仮想人物の前記仮想人物ＩＤに対応付けて記憶されている前記ユーザ管理装置ＩＤを、前記売買取引の当事者である購買側のユーザに関する情報を管理する前記ユーザ管理装置の前記ユーザ管理装置ＩＤに書き換えて更新する更新工程と、
前記売買取引の対象となる前記仮想人物の仮想人物ＩＤに関する情報を削除するように依頼する削除依頼通知を、前記売買取引の当事者である販売側のユーザに関する情報を管理する前記ユーザ管理装置に送信するとともに、前記売買取引の対象となる前記仮想人物の仮想人物ＩＤに関する情報を追加するように依頼する追加依頼通知を、前記購買側のユーザに関する情報を管理する前記ユーザ管理装置に送信する送信工程と、
を含むことを特徴とする仮想人物管理方法。
【請求項７】
ネットワーク上において匿名で使用される仮想人物に関する情報を管理する仮想人物管理装置と、前記仮想人物を所有するユーザに関する情報を管理するユーザ管理装置とを備える仮想人物管理システムであって、
前記仮想人物管理装置は、
前記ユーザ管理装置を一意に特定するユーザ管理装置ＩＤを、前記仮想人物を一意に特定する仮想人物ＩＤに対応付けて記憶させる記憶手段と、
前記仮想人物の売買取引を依頼する取引依頼通知を受信する受信手段と、
前記受信手段によって前記取引依頼通知が受信された場合に、前記記憶手段によって記憶された前記ユーザ管理装置ＩＤのうち、前記売買取引の対象となる前記仮想人物の前記仮想人物ＩＤに対応付けて記憶されている前記ユーザ管理装置ＩＤを、前記売買取引の当事者である購買側のユーザに関する情報を管理する前記ユーザ管理装置の前記ユーザ管理装置ＩＤに書き換えて更新する更新手段と、
前記売買取引の対象となる前記仮想人物の仮想人物ＩＤに関する情報を削除するように依頼する削除依頼通知を、前記売買取引の当事者である販売側のユーザに関する情報を管理する前記ユーザ管理装置に送信するとともに、前記売買取引の対象となる前記仮想人物の仮想人物ＩＤに関する情報を追加するように依頼する追加依頼通知を、前記購買側のユーザに関する情報を管理する前記ユーザ管理装置に送信する送信手段と、を備え、
前記ユーザ管理装置は、
前記ユーザが所有する仮想人物を一意に特定する仮想人物ＩＤおよび前記ユーザの責任能力の度合いを評価するためのユーザ責任能力評価値を、前記ユーザを一意に特定するユーザＩＤに対応付けて記憶させるユーザ情報記憶手段と、
前記削除依頼通知が受信された場合に、当該削除依頼通知に含まれるユーザＩＤに対応付けて記憶されている前記仮想人物ＩＤから、前記削除依頼通知に含まれる仮想人物ＩＤを削除して更新し、前記追加依頼通知が受信された場合には、当該追加依頼通知に含まれるユーザＩＤに対応付けて記憶されている仮想人物ＩＤに、前記追加依頼通知に含まれる仮想人物ＩＤを追加して更新するユーザ情報更新手段と、を備える
ことを特徴とする仮想人物管理システム。
【発明の詳細な説明】
【技術分野】
【０００１】
この発明は、ネットワーク上において匿名で使用される仮想人物に関する情報を管理するのに有用な仮想人物管理プログラム、仮想人物管理装置、仮想人物管理方法および仮想人物管理システムに関し、特に、仮想人物を譲渡させることができる仮想人物管理プログラム、仮想人物管理装置、仮想人物管理方法および仮想人物管理システムに関する。
【背景技術】
【０００２】
従来、個人情報が第三者に漏洩すること等を防止するために、インターネット上における商品の売買や掲示板への書き込み等に匿名で参加できる仕組みが提供されている。例えば、下記特許文献１には、ネットワーク上において匿名で使用される仮想人物と実在人物との対応関係を示す情報を守秘義務のある所定機関に登録することで、仮想人物として、銀行口座を開設することや、クレジット決済を行うこと、商品の配送や受け取りを行うこと等を可能としたシステムが開示されている。
【０００３】
【特許文献１】特開２００２−１２３６３３号公報
【発明の開示】
【発明が解決しようとする課題】
【０００４】
ところが、従来のシステムでは、仮想人物はあくまでも実在の人物に付随するものとして捉えられており、仮想人物を第三者に譲渡することについてまでは何も考慮されていない。しかしながら、ネットワーク上で仮想人物として行動していくうちに、仮想人物自体に信用が発生し、この信用に対して財産的な価値が見出されることも考えられる。このような場合に、従来のシステムでは、仮想人物を他人に譲渡することができないため、仮想人物が有する財産的な価値を有効に利用することができないという問題が発生する。一方、匿名で使用される仮想人物に対して責任を追及できないこととすると、悪意のある参加者の迷惑行為を抑止することができなくなってしまう。
【０００５】
この発明は、上述した従来技術による問題点を解消するためになされたものであり、ネットワーク上において匿名で使用される仮想人物に対する責任追及を可能にしつつ、仮想人物を譲渡させることができる仮想人物管理プログラム、仮想人物管理装置、仮想人物管理方法および仮想人物管理システムを提供することを目的とする。
【課題を解決するための手段】
【０００６】
上述した課題を解決し、目的を達成するため、本発明は、ネットワーク上において匿名で使用される仮想人物に関する情報を管理する仮想人物管理プログラムであって、仮想人物を所有するユーザの責任能力を含めたユーザ情報を管理するユーザ管理装置を一意に特定するユーザ管理装置ＩＤを、仮想人物を一意に特定する仮想人物ＩＤに対応付けて記憶させる記憶手順と、仮想人物の売買取引を依頼する取引依頼通知を受信する受信手順と、受信手順によって取引依頼通知が受信された場合に、記憶手順によって記憶されたユーザ管理装置ＩＤのうち、売買取引の対象となる仮想人物の仮想人物ＩＤに対応付けて記憶されているユーザ管理装置ＩＤを、売買取引の当事者である購買側のユーザに関する情報を管理するユーザ管理装置のユーザ管理装置ＩＤに書き換えて更新する更新手順と、売買取引の対象となる仮想人物の仮想人物ＩＤに関する情報を削除するように依頼する削除依頼通知を、売買取引の当事者である販売側のユーザに関する情報を管理するユーザ管理装置に送信するとともに、売買取引の対象となる仮想人物の仮想人物ＩＤに関する情報を追加するように依頼する追加依頼通知を、購買側のユーザに関する情報を管理するユーザ管理装置に送信する送信手順と、をコンピュータに実行させることを特徴とする。
【０００７】
また、本発明は、ネットワーク上において匿名で使用される仮想人物に関する情報を管理する仮想人物管理装置であって、仮想人物を所有するユーザの責任能力を含めたユーザ情報を管理するユーザ管理装置を一意に特定するユーザ管理装置ＩＤを、仮想人物を一意に特定する仮想人物ＩＤに対応付けて記憶させる記憶手段と、仮想人物の売買取引を依頼する取引依頼通知を受信する受信手段と、受信手段によって取引依頼通知が受信された場合に、記憶手段によって記憶されたユーザ管理装置ＩＤのうち、売買取引の対象となる仮想人物の仮想人物ＩＤに対応付けて記憶されているユーザ管理装置ＩＤを、売買取引の当事者である購買側のユーザに関する情報を管理するユーザ管理装置のユーザ管理装置ＩＤに書き換えて更新する更新手段と、売買取引の対象となる仮想人物の仮想人物ＩＤに関する情報を削除するように依頼する削除依頼通知を、売買取引の当事者である販売側のユーザに関する情報を管理するユーザ管理装置に送信するとともに、売買取引の対象となる仮想人物の仮想人物ＩＤに関する情報を追加するように依頼する追加依頼通知を、購買側のユーザに関する情報を管理するユーザ管理装置に送信する送信手段と、を備えることを特徴とする。
【０００８】
また、本発明は、ネットワーク上において匿名で使用される仮想人物に関する情報を管理する仮想人物管理方法であって、仮想人物を所有するユーザの責任能力を含めたユーザ情報を管理するユーザ管理装置を一意に特定するユーザ管理装置ＩＤを、仮想人物を一意に特定する仮想人物ＩＤに対応付けて記憶させる記憶工程と、仮想人物の売買取引を依頼する取引依頼通知を受信する受信工程と、受信工程において取引依頼通知が受信された場合に、記憶工程において記憶されたユーザ管理装置ＩＤのうち、売買取引の対象となる仮想人物の仮想人物ＩＤに対応付けて記憶されているユーザ管理装置ＩＤを、売買取引の当事者である購買側のユーザに関する情報を管理するユーザ管理装置のユーザ管理装置ＩＤに書き換えて更新する更新工程と、売買取引の対象となる仮想人物の仮想人物ＩＤに関する情報を削除するように依頼する削除依頼通知を、売買取引の当事者である販売側のユーザに関する情報を管理するユーザ管理装置に送信するとともに、売買取引の対象となる仮想人物の仮想人物ＩＤに関する情報を追加するように依頼する追加依頼通知を、購買側のユーザに関する情報を管理するユーザ管理装置に送信する送信工程と、を含むことを特徴とする。
【０００９】
また、本発明は、ネットワーク上において匿名で使用される仮想人物に関する情報を管理する仮想人物管理装置と、仮想人物を所有するユーザに関する情報を管理するユーザ管理装置とを備える仮想人物管理システムであって、上記仮想人物管理装置は、ユーザ管理装置を一意に特定するユーザ管理装置ＩＤを、仮想人物を一意に特定する仮想人物ＩＤに対応付けて記憶させる記憶手段と、仮想人物の売買取引を依頼する取引依頼通知を受信する受信手段と、受信手段によって取引依頼通知が受信された場合に、記憶手段によって記憶されたユーザ管理装置ＩＤのうち、売買取引の対象となる仮想人物の仮想人物ＩＤに対応付けて記憶されているユーザ管理装置ＩＤを、売買取引の当事者である購買側のユーザに関する情報を管理するユーザ管理装置のユーザ管理装置ＩＤに書き換えて更新する更新手順と、売買取引の対象となる仮想人物の仮想人物ＩＤに関する情報を削除するように依頼する削除依頼通知を、売買取引の当事者である販売側のユーザに関する情報を管理するユーザ管理装置に送信するとともに、売買取引の対象となる仮想人物の仮想人物ＩＤに関する情報を追加するように依頼する追加依頼通知を、購買側のユーザに関する情報を管理するユーザ管理装置に送信する送信手段と、を備え、上記ユーザ管理装置は、ユーザが所有する仮想人物を一意に特定する仮想人物ＩＤおよびユーザの責任能力の度合いを評価するためのユーザ責任能力評価値を、ユーザを一意に特定するユーザＩＤに対応付けて記憶させるユーザ情報記憶手段と、削除依頼通知が受信された場合に、当該削除依頼通知に含まれるユーザＩＤに対応付けて記憶されている仮想人物ＩＤから、削除依頼通知に含まれる仮想人物ＩＤを削除して更新し、追加依頼通知が受信された場合には、当該追加依頼通知に含まれるユーザＩＤに対応付けて記憶されている仮想人物ＩＤに、追加依頼通知に含まれる仮想人物ＩＤを追加して更新するユーザ情報更新手段と、を備えることを特徴とする。
【００１０】
これらの発明によれば、仮想人物の売買取引を依頼する取引依頼通知を受信した場合に、仮想人物の仮想人物ＩＤに対応付けて記憶されているユーザ管理装置ＩＤを、販売側のユーザを管理するユーザ管理装置のユーザ管理装置ＩＤから、購買側のユーザを管理するユーザ管理装置のユーザ管理装置ＩＤに書き換えて更新することができ、販売側のユーザを管理するユーザ管理装置に対しては、売買取引の対象となる仮想人物の仮想人物ＩＤを削除させることができ、購買側のユーザを管理するユーザ管理装置に対しては、売買取引の対象となる仮想人物の仮想人物ＩＤを追加させることができるため、仮想人物を譲渡させることが可能となり、さらに、仮想人物ＩＤを、この仮想人物を所有するユーザの責任能力を管理するユーザ管理装置に管理させることができるため、ネットワーク上において匿名で使用される仮想人物に対する責任追及が可能となる。
【００１１】
また、本発明は、上記発明において、上記ユーザ管理装置ＩＤに対応する管理会社の責任能力の度合いを評価するための管理会社責任能力評価値および仮想人物ＩＤに対応する仮想人物の責任能力の度合いを評価するための仮想人物責任能力評価値を算出する算出手順をさらに備え、上記記憶手順は、算出手順によって算出された管理会社責任能力評価値および仮想人物責任能力評価値を、仮想人物ＩＤに対応付けてさらに記憶させることを特徴とする。
【００１２】
また、本発明は、上記発明において、上記送信手順は、受信手順によって取引依頼通知が受信された場合には、販売側のユーザに関する情報および購買側のユーザに関する情報を管理するそれぞれのユーザ管理装置に対して、販売側のユーザの販売意思または購買側のユーザの購買意思を確認するように依頼する確認依頼通知をさらに送信し、更新手順は、送信手順によって送信された確認依頼通知に対する応答によって仮想人物を販売する旨の意思および仮想人物を購買する旨の意思が確認された場合に、記憶手順によって記憶されたユーザ管理装置ＩＤのうち、売買取引の対象となる仮想人物の仮想人物ＩＤに対応付けて記憶されているユーザ管理装置ＩＤを、購買側のユーザに関する情報を管理するユーザ管理装置のユーザ管理装置ＩＤに書き換えて更新することを特徴とする。
【００１３】
また、本発明は、上記発明において、上記取引依頼通知は、販売側のユーザによる仮想人物の販売の申し込み通知を受信し、当該販売の申し込みに対する購買の申し込み通知を受信した外部装置によって送信されることを特徴とする。
【発明の効果】
【００１４】
本発明によれば、仮想人物の売買取引を依頼する取引依頼通知を受信した場合に、仮想人物の仮想人物ＩＤに対応付けて記憶されているユーザ管理装置ＩＤを、販売側のユーザを管理するユーザ管理装置のユーザ管理装置ＩＤから、購買側のユーザを管理するユーザ管理装置のユーザ管理装置ＩＤに書き換えて更新することができ、販売側のユーザを管理するユーザ管理装置に対しては、売買取引の対象となる仮想人物の仮想人物ＩＤを削除させることができ、購買側のユーザを管理するユーザ管理装置に対しては、売買取引の対象となる仮想人物の仮想人物ＩＤを追加させることができるため、仮想人物を譲渡させることが可能となり、さらに、仮想人物ＩＤを、この仮想人物を所有するユーザの責任能力を管理するユーザ管理装置に管理させることができるため、ネットワーク上において匿名で使用される仮想人物に対する責任追及が可能となる。
【００１５】
すなわち、本発明によれば、ネットワーク上において匿名で使用される仮想人物に対する責任追及を可能にしつつ、仮想人物を譲渡させることができるという効果を奏する。
【発明を実施するための最良の形態】
【００１６】
以下に添付図面を参照して、この発明に係る仮想人物管理プログラム、仮想人物管理装置、仮想人物管理方法および仮想人物管理システムの好適な実施形態を詳細に説明する。
【実施例】
【００１７】
まず、本実施例における仮想人物管理システムの構成について説明する。図１は、仮想人物管理システムのシステム構成図である。同図に示すように、仮想人物管理システム１は、仮想人物管理装置１０と、ユーザ管理装置２０と、ユーザ端末３０と、サービス提供装置４０とを有する。
【００１８】
仮想人物管理装置１０は、ネットワーク上において匿名で使用される仮想人物に関する情報を管理する装置である。ユーザ管理装置２０は、仮想人物を所有する実在のユーザに関する情報を管理する。このユーザ管理装置２０は、管理会社ごとに設けられる。管理会社は、自社が所有するユーザ管理装置２０によって管理されているユーザが使用する仮想人物の責任能力を保証する。ユーザ端末３０は、仮想人物を所有するユーザが使用する端末装置である。サービス提供装置４０は、ネットワーク上において各種のサービスをユーザ端末３０に提供する装置である。ユーザ端末３０に提供するサービスとしては、例えば、ネットショッピング、掲示板、売買取引の仲介サービス等が該当する。サービス提供装置４０によって提供されるサービスは、実在の人物および仮想人物のどちらであっても利用することができる。
【００１９】
図２を参照して仮想人物管理装置１０の機能構成について説明する。図２は、仮想人物管理装置の機能構成図である。同図に示すように、仮想人物管理装置１０は、仮想人物管理装置１０を全体制御する制御部１１と、制御部１１での処理に用いられるプログラムおよび仮想人物情報ファイル１２１等の各種データを記憶する記憶部１２とを有する。
【００２０】
制御部１１は、仮想人物情報生成部１１１と、受信部１１２と、仮想人物情報更新部１１３と、送信部１１４とを有する。
【００２１】
仮想人物情報生成部１１１は、仮想人物情報を生成して仮想人物情報ファイル１２１に格納する。ここで、図３を参照して、仮想人物情報ファイル１２１のデータ構成について説明する。図３は、仮想人物情報ファイルのデータ構成図である。仮想人物情報ファイルは、データ項目として、例えば、仮想人物ＩＤ、ユーザ管理装置ＩＤ、管理会社責任能力評価値および仮想人物責任能力評価値を有する。仮想人物ＩＤには、仮想人物を一意に特定するためのＩＤが格納される。ユーザ管理装置ＩＤには、仮想人物を所有するユーザに関する情報を管理するユーザ管理装置を一意に特定するためのＩＤが格納される。管理会社責任能力評価値には、ユーザ管理装置の管理会社の責任能力の度合いを評価するための管理会社責任能力評価値が格納される。仮想人物責任能力評価値には、仮想人物の責任能力の度合いを評価するための仮想人物責任能力評価値が格納される。
【００２２】
図２に示す仮想人物情報生成部１１１は、管理会社責任能力評価値を算出して、仮想人物情報ファイル１２１の管理会社責任能力評価値に格納する。具体的には、例えば、過去の取引履歴データに基く信用性、現在の財力データ等に基く責務代行能力、将来の破産や買収等の可能性を示すデータに基く継続性等を所定の方式を用いて数値化し、所定の評価計算式に代入することで管理会社責任能力評価値を算出する。また、仮想人物情報生成部１１１は、仮想人物責任能力評価値を算出して、仮想人物情報ファイル１２１の仮想人物責任能力評価値に格納する。具体的には、例えば、過去の取引履歴データに基く信用性等を所定の方式を用いて数値化し、所定の評価計算式に代入することで仮想人物責任能力評価値を算出する。ただし、仮想人物を初期登録するときには、仮想人物としての取引実績がないため、この場合には、例えば、管理会社責任能力評価値と後述するユーザ責任能力評価値とを所定の評価計算式に代入することで仮想人物責任能力評価値を仮に算出しておく。
【００２３】
受信部１１２は、ユーザ管理装置２０やサービス提供装置４０から各種の情報を受信する。ユーザ管理装置２０から受信する情報としては、例えば、仮想人物ＩＤを発行するように指示するための発行指示がある。サービス提供装置４０から受信する情報としては、例えば、仮想人物の売買取引を依頼する取引依頼通知がある。なお、取引依頼通知は、仮想人物の販売の申し込み通知を受信し、この販売の申し込みに対する購買の申し込み通知を受信したサービス提供装置４０によって送信される。
【００２４】
仮想人物情報更新部１１３は、売買取引の対象である仮想人物に対応する仮想人物ＩＤに基いて、仮想人物情報ファイル１２１からこの仮想人物ＩＤを含む仮想人物情報を抽出する。仮想人物情報更新部１１３は、この抽出した仮想人物情報のユーザ管理装置ＩＤを、売買取引の当事者である購買側のユーザに関する情報を管理するユーザ管理装置２０のユーザ管理装置ＩＤに書き換えて更新する。
【００２５】
送信部１１４は、各種の情報をユーザ管理装置２０に送信する。ユーザ管理装置２０に送信する情報としては、例えば、新規に発行した仮想人物ＩＤ、ユーザの仮想人物販売意思または仮想人物購買意思を確認するように依頼する確認依頼通知、売買取引の対象となる仮想人物の仮想人物ＩＤに関する情報を削除するように依頼する削除依頼通知、売買取引の対象となる仮想人物の仮想人物ＩＤに関する情報を追加するように依頼する追加依頼通知がある。なお、削除依頼通知には、販売側のユーザのユーザＩＤ、および売買取引の対象となる仮想人物の仮想人物ＩＤが含まれる。また、追加依頼通知には、購買側のユーザのユーザＩＤ、および売買取引の対象となる仮想人物の仮想人物ＩＤが含まれる。
【００２６】
図４を参照してユーザ管理装置２０の機能構成について説明する。図４は、ユーザ管理装置の機能構成図である。同図に示すように、ユーザ管理装置２０は、ユーザ管理装置２０を全体制御する制御部２１と、制御部２１での処理に用いられるプログラムおよびユーザ情報ファイル２２１等の各種データを記憶する記憶部２２とを有する。
【００２７】
制御部２１は、受信部２１１と、ユーザ情報管理部２１２と、送信部２１３とを有する。
【００２８】
受信部２１１は、仮想人物管理装置１０やユーザ端末３０から各種の情報を受信する。仮想人物管理装置１０から受信する情報としては、例えば、新規に発行された仮想人物ＩＤ、確認依頼通知、削除依頼通知、追加依頼通知がある。ユーザ端末３０から受信する情報としては、例えば、仮想人物ＩＤを発行するように要求するための発行要求がある。
【００２９】
ユーザ情報管理部２１２は、ユーザ情報ファイル２２１に格納されるユーザ情報を管理する。ここで、図５を参照して、ユーザ情報ファイル２２１のデータ構成について説明する。図５は、ユーザ情報ファイルのデータ構成図である。ユーザ情報ファイル２２１は、データ項目として、例えば、ユーザＩＤ、ユーザ責任能力評価値および仮想人物ＩＤを有する。ユーザＩＤには、ユーザを一意に特定するためのＩＤが格納される。ユーザ責任能力評価値には、ユーザの責任能力の度合いを評価するためのユーザ責任能力評価値が格納される。仮想人物ＩＤには、ユーザが所有する仮想人物を一意に特定するためのＩＤが格納される。
【００３０】
図４に示すユーザ情報管理部２１２は、ユーザ責任能力評価値を算出して、ユーザ情報ファイル２２１のユーザ責任能力評価値に格納する。具体的には、例えば、クレジット会社で管理されている信用情報を取得し、この信用情報を所定の方式を用いて数値化し、所定の評価計算式に代入することでユーザ責任能力評価値を算出する。また、ユーザ情報管理部２１２は、仮想人物管理装置１０から受信した仮想人物ＩＤをユーザ情報ファイル２２１の仮想人物ＩＤに格納する。
【００３１】
ユーザ情報管理部２１２は、受信部２１１によって削除依頼通知が受信された場合には、削除依頼通知に含まれるユーザＩＤに基いて、このユーザＩＤを含むユーザ情報をユーザ情報ファイル２２１から抽出し、抽出したユーザ情報の仮想人物ＩＤから、削除依頼通知に含まれる仮想人物ＩＤを削除して更新する。
【００３２】
ユーザ情報管理部２１２は、受信部２１１によって追加依頼通知が受信された場合には、追加依頼通知に含まれるユーザＩＤに基いて、このユーザＩＤを含むユーザ情報をユーザ情報ファイル２２１から抽出し、抽出したユーザ情報の仮想人物ＩＤに、追加依頼通知に含まれる仮想人物ＩＤを追加して更新する。
【００３３】
送信部２１３は、仮想人物管理装置１０やユーザ端末３０に各種情報を送信する。仮想人物管理装置１０に送信する情報としては、例えば、仮想人物ＩＤを発行するように指示するための発行指示がある。ユーザ端末３０に送信する情報としては、例えば、新規に発行された仮想人物ＩＤがある。
【００３４】
次に、図６を参照して、ユーザが仮想人物ＩＤを取得する際の処理手順について説明する。図６は、仮想人物ＩＤ発行時の処理手順を示すシーケンスチャートである。この処理手順では、ユーザ端末３０が、このユーザ端末３０のユーザを管理しているユーザ管理装置２０にアクセスし、このユーザ管理装置２０を介して仮想人物管理装置１０が発行する仮想人物ＩＤを取得する際の手順について説明する。
【００３５】
最初に、ユーザ端末３０は、仮想人物ＩＤを発行するように要求するための発行要求をユーザ管理装置２０に送信する（ステップＳ１０１）。
【００３６】
続いて、ユーザ管理装置２０のユーザ情報管理部２１２は、ユーザ責任能力評価値を算出し、この算出したユーザ責任能力評価値をユーザ情報ファイル２２１のユーザ責任能力評価値に格納する（ステップＳ１０２）。
【００３７】
続いて、ユーザ管理装置２０の送信部２１３は、仮想人物ＩＤを発行するように指示するための発行指示を仮想人物管理装置１０に送信する（ステップＳ１０３）。
【００３８】
続いて、仮想人物管理装置１０の仮想人物情報生成部１１１は、仮想人物ＩＤを発行（ステップＳ１０４）して、仮想人物情報を生成する。仮想人物情報生成部１１１は、仮想人物情報のユーザ管理装置ＩＤに、上記ステップＳ１０３で発行指示を送信したユーザ管理装置２０のユーザ管理装置ＩＤを格納する（ステップＳ１０５）。仮想人物情報生成部１１１は、管理会社責任能力評価値を算出して、仮想人物情報の管理会社責任能力評価値に格納する（ステップＳ１０６）。仮想人物情報生成部１１１は、仮想人物責任能力評価値を算出して、仮想人物情報の仮想人物責任能力評価値に格納する（ステップＳ１０７）。
【００３９】
続いて、仮想人物管理装置１０の送信部１１４は、上記ステップＳ１０４で発行した仮想人物ＩＤをユーザ管理装置２０に送信する（ステップＳ１０８）。
【００４０】
続いて、ユーザ管理装置２０のユーザ情報管理部２１２は、仮想人物管理装置１０から受信した仮想人物ＩＤをユーザ情報ファイル２２１の仮想人物ＩＤに格納する（ステップＳ１０９）。ユーザ管理装置２０の送信部２１３は、仮想人物ＩＤをユーザ端末３０に送信する（ステップＳ１１０）。これにより、ユーザは、仮想人物ＩＤを取得することができる。
【００４１】
図７を参照して、ユーザが仮想人物ＩＤを譲渡する際の処理手順について説明する。図７は、仮想人物ＩＤ譲渡時の処理手順を示すシーケンスチャートである。この処理手順では、ユーザ端末Ａのユーザが所有する仮想人物ＩＤを、ユーザ端末Ｂのユーザに譲渡する際の手順について説明する。なお、この処理手順では、仮想人物ＩＤの販売を希望するユーザＡが使用するユーザ端末３０をユーザ端末Ａとし、仮想人物ＩＤの購買を希望するユーザＢが使用するユーザ端末３０をユーザ端末Ｂとする。また、ユーザＡに関する情報を管理するユーザ管理装置２０をユーザ管理装置Ａとし、ユーザＢに関する情報を管理するユーザ管理装置２０をユーザ管理装置Ｂとする。
【００４２】
最初に、ユーザ端末Ａは、サービス提供装置４０に設けられた仮想人物ＩＤの売買取引を仲介する取引仲介サイトにアクセスして仮想人物ＩＤの販売を申し込む（ステップＳ２０１）。
【００４３】
続いて、サービス提供装置４０は、取引仲介サイトにある仮想人物ＩＤの購買希望者募集欄に、販売の申し込みがあった仮想人物ＩＤを掲示する（ステップＳ２０２）。
【００４４】
続いて、ユーザ端末Ｂは、サービス提供装置４０の取引仲介サイトにアクセスして仮想人物ＩＤの購買を申し込む（ステップＳ２０３）。サービス提供装置４０は、購買の申し込みを受信したことを示す購買申込受信通知をユーザ端末Ａに送信する（ステップＳ２０４）。
【００４５】
続いて、ユーザＡが、ユーザＢによる購買の申し込みを了承する旨の操作指示を行うと、ユーザ端末Ａは、購買申込に対する了承通知をサービス提供装置４０に送信する（ステップＳ２０５）。
【００４６】
続いて、サービス提供装置４０は、仮想人物ＩＤの売買取引を依頼するための取引依頼通知を仮想人物管理装置１０に送信する（ステップＳ２０６）。
【００４７】
続いて、仮想人物管理装置１０の送信部１１４は、ユーザＡの販売意思を再度確認するように依頼するための再確認依頼通知を、ユーザ管理装置Ａに送信する（ステップＳ２０７）。ユーザ管理装置Ａの送信部２１３は、ユーザＡに対して販売意思の再確認を要求するための再確認要求をユーザ端末Ａに送信する（ステップＳ２０８）。
【００４８】
続いて、ユーザＡが、販売意思を有する旨の操作指示を行うと、ユーザ端末Ａは、販売意思の再確認通知をユーザ管理装置Ａに送信し（ステップＳ２０９）、ユーザ管理装置Ａの送信部２１３は、この再確認通知を仮想人物管理装置１０に送信する（ステップＳ２１０）。
【００４９】
続いて、仮想人物管理装置１０の送信部１１４は、ユーザＢの購買意思を再度確認するように依頼するための再確認依頼通知を、ユーザ管理装置Ｂに送信する（ステップＳ２１１）。ユーザ管理装置Ｂの送信部２１３は、ユーザＢに対して購買意思の再確認を要求するための再確認要求をユーザ端末Ｂに送信する（ステップＳ２１２）。
【００５０】
続いて、ユーザＢが、購買意思を有する旨の操作指示を行うと、ユーザ端末Ｂは、購買意思の再確認通知をユーザ管理装置Ｂに送信し（ステップＳ２１３）、ユーザ管理装置Ｂの送信部２１３は、この再確認通知を仮想人物管理装置１０に送信する（ステップＳ２１４）。
【００５１】
続いて、仮想人物管理装置１０の仮想人物情報更新部１１３は、売買取引の対象となる仮想人物の仮想人物ＩＤに基いて、仮想人物情報ファイル１２１からこの仮想人物ＩＤを含む仮想人物情報を抽出し、この抽出した仮想人物情報のユーザ管理装置ＩＤを、ユーザ管理装置Ｂのユーザ管理装置ＩＤに書き換えて更新する（ステップＳ２１５）。
【００５２】
続いて、仮想人物管理装置１０の送信部１１４は、売買取引の対象となる仮想人物の仮想人物ＩＤに関する情報を削除するように依頼する削除依頼通知を、ユーザ管理装置Ａに送信する（ステップＳ２１６）とともに、売買取引の対象となる仮想人物の仮想人物ＩＤに関する情報を追加するように依頼する追加依頼通知を、ユーザ管理装置Ｂに送信する（ステップＳ２１７）。
【００５３】
続いて、ユーザ管理装置Ａのユーザ情報管理部２１２は、削除依頼通知を受信すると、ユーザＡのユーザＩＤを含むユーザ情報をユーザ情報ファイル２２１から抽出し、抽出したユーザ情報の仮想人物ＩＤから、売買取引の対象となる仮想人物の仮想人物ＩＤを削除して更新する（ステップＳ２１８）。ユーザ管理装置Ａの送信部２１３は、売買取引が完了した旨を示す完了通知をユーザ端末Ａに送信する（ステップＳ２１９）。
【００５４】
一方、ユーザ管理装置Ｂのユーザ情報管理部２１２は、追加依頼通知を受信すると、ユーザＢのユーザＩＤを含むユーザ情報をユーザ情報ファイル２２１から抽出し、抽出したユーザ情報の仮想人物ＩＤに、売買取引の対象となる仮想人物の仮想人物ＩＤを追加して更新する（ステップＳ２２０）。ユーザ管理装置Ｂの送信部２１３は、売買取引が完了した旨を示す完了通知をユーザ端末Ｂに送信する（ステップＳ２２１）。
【００５５】
上述してきたように、本実施例の仮想人物管理システムでは、仮想人物の売買取引を依頼する取引依頼通知を受信した場合に、仮想人物の仮想人物ＩＤに対応付けて記憶されているユーザ管理装置ＩＤを、販売側のユーザを管理するユーザ管理装置２０のユーザ管理装置ＩＤから、購買側のユーザを管理するユーザ管理装置２０のユーザ管理装置ＩＤに書き換えて更新することができる。また、販売側のユーザを管理するユーザ管理装置２０に対しては、売買取引の対象となる仮想人物の仮想人物ＩＤを削除させることができ、購買側のユーザを管理するユーザ管理装置２０に対しては、売買取引の対象となる仮想人物の仮想人物ＩＤを追加させることができる。したがって、仮想人物を譲渡させることが可能となる。さらに、仮想人物ＩＤを、この仮想人物を所有するユーザの責任能力を管理するユーザ管理装置２０に管理させることができるため、ネットワーク上において匿名で使用される仮想人物に対する責任追及が可能となる。
【００５６】
なお、図２に示した本実施例における仮想人物管理装置１０の構成は、本発明の要旨を逸脱しない範囲で種々に変更することができる。例えば、仮想人物管理装置１０の制御部１１の機能をソフトウェアとして実装し、これをコンピュータで実行することにより、仮想人物管理装置１０と同等の機能を実現することもできる。以下に、制御部１１の機能をソフトウェアとして実装した仮想人格管理プログラム１０７１を実行するコンピュータの一例を示す。
【００５７】
図８は、仮想人格管理プログラムを実行するコンピュータの構成図である。このコンピュータ１０００は、各種演算処理を実行するＣＰＵ（CentralProcessingUnit）１０１０と、ユーザからのデータの入力を受け付ける入力装置１０２０と、各種情報を表示するモニタ１０３０と、記録媒体からプログラム等を読み取る媒体読取装置１０４０と、ネットワークを介して他のコンピュータとの間でデータの授受をおこなう通信装置１０５０と、各種情報を一時記憶するＲＡＭ（RandomAccessMemory）１０６０と、ハードディスク装置１０７０とをバス１０８０で接続して構成される。
【００５８】
そして、ハードディスク装置１０７０には、図２に示した制御部１１と同様の機能を有する仮想人格管理プログラム１０７１と、図２に示した記憶部１２に記憶される各種データに対応する仮想人格管理用データ１０７２とが記憶される。なお、仮想人格管理用データ１０７２を、適宜分散させ、ネットワークを介して接続された他のコンピュータに記憶させておくこともできる。
【００５９】
そして、ＣＰＵ１０１０が仮想人格管理プログラム１０７１をハードディスク装置１０７０から読み出してＲＡＭ１０６０に展開することにより、仮想人格管理プログラム１０７１は、仮想人格管理プロセス１０６１として機能するようになる。そして、仮想人格管理プロセス１０６１は、仮想人格管理用データ１０７２から読み出した情報等を適宜ＲＡＭ１０６０上の自身に割り当てられた領域に展開し、この展開したデータ等に基づいて各種データ処理を実行する。
【００６０】
なお、仮想人格管理プログラム１０７１は、必ずしもハードディスク装置１０７０に格納されている必要はなく、ＣＤ−ＲＯＭ等の記憶媒体に記憶されたこのプログラムを、コンピュータ１０００が読み出して実行するようにしてもよい。また、公衆回線、インターネット、ＬＡＮ（LocalAreaNetwork）、ＷＡＮ（WideAreaNetwork）等を介してコンピュータ１０００に接続される他のコンピュータ（またはサーバ）等にこのプログラムを記憶させておき、コンピュータ１０００がこれらからプログラムを読み出して実行するようにしてもよい。
【００６１】
（付記１）ネットワーク上において匿名で使用される仮想人物に関する情報を管理する仮想人物管理プログラムであって、
前記仮想人物を所有するユーザの責任能力を含めたユーザ情報を管理するユーザ管理装置を一意に特定するユーザ管理装置ＩＤを、前記仮想人物を一意に特定する仮想人物ＩＤに対応付けて記憶させる記憶手順と、
前記仮想人物の売買取引を依頼する取引依頼通知を受信する受信手順と、
前記受信手順によって前記取引依頼通知が受信された場合に、前記記憶手順によって記憶された前記ユーザ管理装置ＩＤのうち、前記売買取引の対象となる前記仮想人物の前記仮想人物ＩＤに対応付けて記憶されている前記ユーザ管理装置ＩＤを、前記売買取引の当事者である購買側のユーザに関する情報を管理する前記ユーザ管理装置の前記ユーザ管理装置ＩＤに書き換えて更新する更新手順と、
前記売買取引の対象となる前記仮想人物の仮想人物ＩＤに関する情報を削除するように依頼する削除依頼通知を、前記売買取引の当事者である販売側のユーザに関する情報を管理する前記ユーザ管理装置に送信するとともに、前記売買取引の対象となる前記仮想人物の仮想人物ＩＤに関する情報を追加するように依頼する追加依頼通知を、前記購買側のユーザに関する情報を管理する前記ユーザ管理装置に送信する送信手順と、
をコンピュータに実行させることを特徴とする仮想人物管理プログラム。
【００６２】
（付記２）前記ユーザ管理装置ＩＤに対応する管理会社の責任能力の度合いを評価するための管理会社責任能力評価値および前記仮想人物ＩＤに対応する仮想人物の責任能力の度合いを評価するための仮想人物責任能力評価値を算出する算出手順をさらに備え、
前記記憶手順は、前記算出手順によって算出された前記管理会社責任能力評価値および前記仮想人物責任能力評価値を、前記仮想人物ＩＤに対応付けてさらに記憶させることを特徴とする付記１に記載の仮想人物管理プログラム。
【００６３】
（付記３）前記送信手順は、前記受信手順によって前記取引依頼通知が受信された場合には、前記販売側のユーザに関する情報および前記購買側のユーザに関する情報を管理するそれぞれの前記ユーザ管理装置に対して、前記販売側のユーザの販売意思または前記購買側のユーザの購買意思を確認するように依頼する確認依頼通知をさらに送信し、
前記更新手順は、前記送信手順によって送信された前記確認依頼通知に対する応答によって前記仮想人物を販売する旨の意思および前記仮想人物を購買する旨の意思が確認された場合に、前記記憶手順によって記憶された前記ユーザ管理装置ＩＤのうち、前記売買取引の対象となる前記仮想人物の前記仮想人物ＩＤに対応付けて記憶されている前記ユーザ管理装置ＩＤを、前記購買側のユーザに関する情報を管理する前記ユーザ管理装置の前記ユーザ管理装置ＩＤに書き換えて更新することを特徴とする付記１または２に記載の仮想人物管理プログラム。
【００６４】
（付記４）前記取引依頼通知は、前記販売側のユーザによる前記仮想人物の販売の申し込み通知を受信し、当該販売の申し込みに対する購買の申し込み通知を受信した外部装置によって送信されることを特徴とする付記１〜３のいずれか１つに記載の仮想人物管理プログラム。
【００６５】
（付記５）ネットワーク上において匿名で使用される仮想人物に関する情報を管理する仮想人物管理装置であって、
前記仮想人物を所有するユーザの責任能力を含めたユーザ情報を管理するユーザ管理装置を一意に特定するユーザ管理装置ＩＤを、前記仮想人物を一意に特定する仮想人物ＩＤに対応付けて記憶させる記憶手段と、
前記仮想人物の売買取引を依頼する取引依頼通知を受信する受信手段と、
前記受信手段によって前記取引依頼通知が受信された場合に、前記記憶手段によって記憶された前記ユーザ管理装置ＩＤのうち、前記売買取引の対象となる前記仮想人物の前記仮想人物ＩＤに対応付けて記憶されている前記ユーザ管理装置ＩＤを、前記売買取引の当事者である購買側のユーザに関する情報を管理する前記ユーザ管理装置の前記ユーザ管理装置ＩＤに書き換えて更新する更新手段と、
前記売買取引の対象となる前記仮想人物の仮想人物ＩＤに関する情報を削除するように依頼する削除依頼通知を、前記売買取引の当事者である販売側のユーザに関する情報を管理する前記ユーザ管理装置に送信するとともに、前記売買取引の対象となる前記仮想人物の仮想人物ＩＤに関する情報を追加するように依頼する追加依頼通知を、前記購買側のユーザに関する情報を管理する前記ユーザ管理装置に送信する送信手段と、
を備えることを特徴とする仮想人物管理装置。
【００６６】
（付記６）前記ユーザ管理装置ＩＤに対応する管理会社の責任能力の度合いを評価するための管理会社責任能力評価値および前記仮想人物ＩＤに対応する仮想人物の責任能力の度合いを評価するための仮想人物責任能力評価値を算出する算出手段をさらに備え、
前記記憶手段は、前記算出手段によって算出された前記管理会社責任能力評価値および前記仮想人物責任能力評価値を、前記仮想人物ＩＤに対応付けてさらに記憶させることを特徴とする付記５に記載の仮想人物管理装置。
【００６７】
（付記７）前記送信手段は、前記受信手段によって前記取引依頼通知が受信された場合には、前記販売側のユーザに関する情報および前記購買側のユーザに関する情報を管理するそれぞれの前記ユーザ管理装置に対して、前記販売側のユーザの販売意思または前記購買側のユーザの購買意思を確認するように依頼する確認依頼通知をさらに送信し、
前記更新手段は、前記送信手段によって送信された前記確認依頼通知に対する応答によって前記仮想人物を販売する旨の意思および前記仮想人物を購買する旨の意思が確認された場合に、前記記憶手段によって記憶された前記ユーザ管理装置ＩＤのうち、前記売買取引の対象となる前記仮想人物の前記仮想人物ＩＤに対応付けて記憶されている前記ユーザ管理装置ＩＤを、前記購買側のユーザに関する情報を管理する前記ユーザ管理装置の前記ユーザ管理装置ＩＤに書き換えて更新することを特徴とする付記５または６に記載の仮想人物管理装置。
【００６８】
（付記８）前記取引依頼通知は、前記販売側のユーザによる前記仮想人物の販売の申し込み通知を受信し、当該販売の申し込みに対する購買の申し込み通知を受信した外部装置によって送信されることを特徴とする付記５〜７のいずれか１つに記載の仮想人物管理装置。
【００６９】
（付記９）ネットワーク上において匿名で使用される仮想人物に関する情報を管理する仮想人物管理方法であって、
前記仮想人物を所有するユーザの責任能力を含めたユーザ情報を管理するユーザ管理装置を一意に特定するユーザ管理装置ＩＤを、前記仮想人物を一意に特定する仮想人物ＩＤに対応付けて記憶させる記憶工程と、
前記仮想人物の売買取引を依頼する取引依頼通知を受信する受信工程と、
前記受信工程において前記取引依頼通知が受信された場合に、前記記憶工程において記憶された前記ユーザ管理装置ＩＤのうち、前記売買取引の対象となる前記仮想人物の前記仮想人物ＩＤに対応付けて記憶されている前記ユーザ管理装置ＩＤを、前記売買取引の当事者である購買側のユーザに関する情報を管理する前記ユーザ管理装置の前記ユーザ管理装置ＩＤに書き換えて更新する更新工程と、
前記売買取引の対象となる前記仮想人物の仮想人物ＩＤに関する情報を削除するように依頼する削除依頼通知を、前記売買取引の当事者である販売側のユーザに関する情報を管理する前記ユーザ管理装置に送信するとともに、前記売買取引の対象となる前記仮想人物の仮想人物ＩＤに関する情報を追加するように依頼する追加依頼通知を、前記購買側のユーザに関する情報を管理する前記ユーザ管理装置に送信する送信工程と、
を含むことを特徴とする仮想人物管理方法。
【００７０】
（付記１０）前記ユーザ管理装置ＩＤに対応する管理会社の責任能力の度合いを評価するための管理会社責任能力評価値および前記仮想人物ＩＤに対応する仮想人物の責任能力の度合いを評価するための仮想人物責任能力評価値を算出する算出工程をさらに含み、
前記記憶工程は、前記算出工程において算出された前記管理会社責任能力評価値および前記仮想人物責任能力評価値を、前記仮想人物ＩＤに対応付けてさらに記憶させることを特徴とする付記９に記載の仮想人物管理方法。
【００７１】
（付記１１）前記送信工程は、前記受信工程において前記取引依頼通知が受信された場合には、前記販売側のユーザに関する情報および前記購買側のユーザに関する情報を管理するそれぞれの前記ユーザ管理装置に対して、前記販売側のユーザの販売意思または前記購買側のユーザの購買意思を確認するように依頼する確認依頼通知をさらに送信し、
前記更新工程は、前記送信工程において送信された前記確認依頼通知に対する応答によって前記仮想人物を販売する旨の意思および前記仮想人物を購買する旨の意思が確認された場合に、前記記憶手順によって記憶された前記ユーザ管理装置ＩＤのうち、前記売買取引の対象となる前記仮想人物の前記仮想人物ＩＤに対応付けて記憶されている前記ユーザ管理装置ＩＤを、前記購買側のユーザに関する情報を管理する前記ユーザ管理装置の前記ユーザ管理装置ＩＤに書き換えて更新することを特徴とする付記９または１０に記載の仮想人物管理方法。
【００７２】
（付記１２）前記取引依頼通知は、前記販売側のユーザによる前記仮想人物の販売の申し込み通知を受信し、当該販売の申し込みに対する購買の申し込み通知を受信した外部装置によって送信されることを特徴とする付記９〜１１のいずれか１つに記載の仮想人物管理方法。
【００７３】
（付記１３）ネットワーク上において匿名で使用される仮想人物に関する情報を管理する仮想人物管理装置と、前記仮想人物を所有するユーザに関する情報を管理するユーザ管理装置とを備える仮想人物管理システムであって、
前記仮想人物管理装置は、
前記ユーザ管理装置を一意に特定するユーザ管理装置ＩＤを、前記仮想人物を一意に特定する仮想人物ＩＤに対応付けて記憶させる記憶手段と、
前記仮想人物の売買取引を依頼する取引依頼通知を受信する受信手段と、
前記受信手段によって前記取引依頼通知が受信された場合に、前記記憶手段によって記憶された前記ユーザ管理装置ＩＤのうち、前記売買取引の対象となる前記仮想人物の前記仮想人物ＩＤに対応付けて記憶されている前記ユーザ管理装置ＩＤを、前記売買取引の当事者である購買側のユーザに関する情報を管理する前記ユーザ管理装置の前記ユーザ管理装置ＩＤに書き換えて更新する更新手段と、
前記売買取引の対象となる前記仮想人物の仮想人物ＩＤに関する情報を削除するように依頼する削除依頼通知を、前記売買取引の当事者である販売側のユーザに関する情報を管理する前記ユーザ管理装置に送信するとともに、前記売買取引の対象となる前記仮想人物の仮想人物ＩＤに関する情報を追加するように依頼する追加依頼通知を、前記購買側のユーザに関する情報を管理する前記ユーザ管理装置に送信する送信手段と、を備え、
前記ユーザ管理装置は、
前記ユーザが所有する仮想人物を一意に特定する仮想人物ＩＤおよび前記ユーザの責任能力の度合いを評価するためのユーザ責任能力評価値を、前記ユーザを一意に特定するユーザＩＤに対応付けて記憶させるユーザ情報記憶手段と、
前記削除依頼通知が受信された場合に、当該削除依頼通知に含まれるユーザＩＤに対応付けて記憶されている前記仮想人物ＩＤから、前記削除依頼通知に含まれる仮想人物ＩＤを削除して更新し、前記追加依頼通知が受信された場合には、当該追加依頼通知に含まれるユーザＩＤに対応付けて記憶されている仮想人物ＩＤに、前記追加依頼通知に含まれる仮想人物ＩＤを追加して更新するユーザ情報更新手段と、を備える
ことを特徴とする仮想人物管理システム。
【００７４】
（付記１４）前記仮想人物管理装置は、
前記ユーザ管理装置ＩＤに対応する管理会社の責任能力の度合いを評価するための管理会社責任能力評価値および前記仮想人物ＩＤに対応する仮想人物の責任能力の度合いを評価するための仮想人物責任能力評価値を算出する算出手段をさらに備え、
前記記憶手段は、前記算出手段によって算出された前記管理会社責任能力評価値および前記仮想人物責任能力評価値を、前記仮想人物ＩＤに対応付けてさらに記憶させることを特徴とする付記１３に記載の仮想人物管理システム。
【００７５】
（付記１５）前記送信手段は、前記受信手段によって前記取引依頼通知が受信された場合には、前記販売側のユーザに関する情報および前記購買側のユーザに関する情報を管理するそれぞれの前記ユーザ管理装置に対して、前記販売側のユーザの販売意思または前記購買側のユーザの購買意思を確認するように依頼する確認依頼通知をさらに送信し、
前記更新手段は、前記送信手段によって送信された前記確認依頼通知に対する応答によって前記仮想人物を販売する旨の意思および前記仮想人物を購買する旨の意思が確認された場合に、前記記憶手段によって記憶された前記ユーザ管理装置ＩＤのうち、前記売買取引の対象となる前記仮想人物の前記仮想人物ＩＤに対応付けて記憶されている前記ユーザ管理装置ＩＤを、前記購買側のユーザに関する情報を管理する前記ユーザ管理装置の前記ユーザ管理装置ＩＤに書き換えて更新することを特徴とする付記１３または１４に記載の仮想人物管理システム。
【００７６】
（付記１６）前記取引依頼通知は、前記販売側のユーザによる前記仮想人物の販売の申し込み通知を受信し、当該販売の申し込みに対する購買の申し込み通知を受信した外部装置によって送信されることを特徴とする付記１３〜１５のいずれか１つに記載の仮想人物管理システム。
【産業上の利用可能性】
【００７７】
以上のように、本発明にかかる仮想人物管理プログラム、仮想人物管理装置、仮想人物管理方法および仮想人物管理システムは、ネットワーク上において匿名で使用される仮想人物に関する情報を管理するのに有用であり、特に、仮想人物を譲渡させることに適している。
【図面の簡単な説明】
【００７８】
【図１】仮想人物管理システムのシステム構成図である。
【図２】仮想人物管理装置の機能構成図である。
【図３】仮想人物情報ファイルのデータ構成図である。
【図４】ユーザ管理装置の機能構成図である。
【図５】ユーザ情報ファイルのデータ構成図である。
【図６】仮想人物ＩＤ発行時の処理手順を示すシーケンスチャートである。
【図７】仮想人物ＩＤ譲渡時の処理手順を示すシーケンスチャートである。
【図８】仮想人格管理プログラムを実行するコンピュータの構成図である。
【符号の説明】
【００７９】
１    仮想人物管理システム
１０    仮想人物管理装置
１１    制御部
１１１    仮想人物情報生成部
１１２    受信部
１１３    仮想人物情報更新部
１１４    送信部
１２    記憶部
１２１    仮想人物情報ファイル
２０    ユーザ管理装置
２１    制御部
２１１    受信部
２１２    ユーザ情報管理部
２１３    送信部
２２    記憶部
２２１    ユーザ情報ファイル
３０    ユーザ端末
４０    サービス提供装置
１０００    コンピュータ
１０１０    ＣＰＵ
１０２０    入力装置
１０３０    モニタ
１０４０    媒体読取装置
１０５０    通信装置
１０６０    ＲＡＭ
１０６１    仮想人格管理プロセス
１０７０    ハードディスク装置
１０７１    仮想人格管理プログラム
１０７２    仮想人格管理用データ
１０８０    バス
【図１】
2008243055.tif 000003
【図２】
2008243055.tif 000004
【図３】
2008243055.tif 000005
【図４】
2008243055.tif 000006
【図５】
2008243055.tif 000007
【図６】
2008243055.tif 000008
【図７】
2008243055.tif 000009
【図８】
2008243055.tif 000010